(57)【要約】      （修正有）【課題】使用者が貯蔵した米を別の容器に移し替える作業が容易にでき、使い勝手の良い冷蔵庫を提供する。【解決手段】冷蔵庫１は、貯蔵室を有する本体２と、貯蔵室としての例えば野菜室内から貯蔵容器としての例えば野菜容器を引き出し可能な引出し式扉７Ａと、野菜容器に配置されて米を収納する米収納容器３０と、米収納容器３０を密閉する蓋４０（３１）を備え、米収納容器３０は、米収納容器３０内の米を出して移すための移し替え容器Ｍを保持する移し替え容器保持部４１を有する。【選択図】図５
2019100590.tif 000002
【特許請求の範囲】
【請求項１】
貯蔵室を有する本体と、
前記貯蔵室内から貯蔵容器を引き出し可能な引出し式扉と、
前記貯蔵容器に配置されて米を収納する米収納容器と、
前記米収納容器を密閉する蓋と、
を備え、
前記米収納容器は、前記米収納容器内の前記米を出して移すための移し替え容器を保持する移し替え容器保持部を有する冷蔵庫。
【請求項２】
前記米収納容器は、前記米を前記米収納容器に入れたり、収納した前記米を前記米収納容器から出すために、前記蓋により密閉されていない部分開口部を有し、前記蓋は、前記部分開口部を開閉可能な開閉蓋部を有する請求項１に記載の冷蔵庫。
【請求項３】
前記米収納容器の底部は、前記引出し式扉を引き出す方向に関して、前記米収納容器の奥側から手前側に向けて下がるように傾斜して形成されている請求項１または２に記載の冷蔵庫。
【請求項４】
前記米収納容器の底部は、前記引出し式扉を引き出す方向に関して、前記米収納容器の奥側から手前側にある前記部分開口部に対応する領域に向けて三次元的に下がるように傾斜して形成されている請求項２に記載の冷蔵庫。
【請求項５】
前記貯蔵容器は、前記米収納容器の前記移し替え容器保持部の下部の位置に、ボトルを収納するボトル収納部分を有する請求項１に記載の冷蔵庫。
【請求項６】
前記開閉蓋部により前記部分開口部を閉じた際に、前記開閉蓋部と前記米収納容器との間を密閉する密閉部材を有する請求項２に記載の冷蔵庫。
【発明の詳細な説明】
【技術分野】
【０００１】
本発明の実施の形態は、冷蔵庫に関する。
【背景技術】
【０００２】
特許文献１には、米を貯蔵できる冷蔵庫が開示されている。この冷蔵庫の貯蔵室は、米を収納して保存する米収納容器を備えている。米収納容器の底面は、米を収納した状態で米の残り量が少なくなった場合に、残りの米が米収納容器の底部の奥側から手前側に集まるように、奥側から手前側に傾斜されている。
【先行技術文献】
【特許文献】
【０００３】
【特許文献１】特開２０１６−２２３６５４号公報
【発明の概要】
【発明が解決しようとする課題】
【０００４】
ところで、使用者が、袋入りの米を袋から米収納容器に移して貯蔵する。この場合に、使用者が、その米収納容器内の米を、例えば炊飯器の釜に移し替える場合に、釜を置くところがない。このため、釜を持ったままの状態で米を釜等に移し替えるので、米を移し替える作業が面倒であることから、米収納容器の使い勝手が悪い。
【０００５】
本発明は、上記に鑑みてなされたもので、その目的とするところは、使用者が貯蔵した米を別の容器に移し替える作業が容易にでき、使い勝手の良い冷蔵庫を提供することにある。
【課題を解決するための手段】
【０００６】
本発明の実施の形態の冷蔵庫は、貯蔵室を有する本体と、前記貯蔵室内から貯蔵容器を引き出し可能な引出し式扉と、前記貯蔵容器に配置されて米を収納する米収納容器と、前記米収納容器を密閉する蓋と、を備え、前記米収納容器は、前記米収納容器内の前記米を出して移すための移し替え容器を保持する移し替え容器保持部を有する。
【図面の簡単な説明】
【０００７】
【図１】本発明の第1実施形態の冷蔵庫の全体を示す正面図である。
【図２】図1に示す冷蔵庫の縦方向の断面構造例を示しており、野菜室の引出し式扉を閉じた状態を示す図である。
【図３】図1に示す冷蔵庫の縦方向の断面構造例を示しており、野菜室の引出し式扉を前方にスライドして開いた状態を示す図である。
【図４】図１に示す冷蔵庫を示す斜視図であり、野菜室の引出し式扉を前方にスライドして開いた状態を示す図である。
【図５】野菜室の引出し式扉を前方にスライドして開いた状態を示し、例えば米を炊くための釜のような移し替え容器Ｍを米収納容器の上に載せた状態を示している図である。
【図６】米収納容器と野菜容器を示す斜視図であり、米収納容器のスライド蓋が閉じている状態を示す図である。
【図７】米収納容器と野菜容器を示す斜視図であり、米収納容器のスライド蓋が開いている状態を示す図である。
【図８】図６に示す米収納容器と野菜容器のＡ−Ａ線における断面構造を示す図である。
【図９】図６に示す米収納容器と野菜容器のＢ−Ｂ線における断面構造を示す図である。
【図１０】図９に示すＲ部分を拡大して示す断面図である。
【図１１】本発明の第２実施形態を示す断面図である。
【図１２】本発明の第３実施形態を示す断面図である。
【図１３】本発明の第４実施形態を示す断面図である。
【図１４】本発明の第５実施形態を示す断面図である。
【発明を実施するための形態】
【０００８】
以下、図面を用いて、本発明の実施するための形態（以下、実施形態と称する）を説明する。
【０００９】
（第1実施形態）
＜冷蔵庫１の全体構成＞
図１は、本発明の第1実施形態の冷蔵庫の全体を示す正面図である。図２は、図1に示す冷蔵庫1の縦方向の断面構造例を示しており、貯蔵室としての野菜室7の引出し式扉７Ａを閉じた状態を示している。
【００１０】
図３は、図２と同様に図1に示す冷蔵庫1の縦方向の断面構造例を示しており、野菜室7の引出し式扉７Ａを前方（Ｘ１方向）にスライドして開いた状態を示している。図４は、図１に示す冷蔵庫１を示す斜視図であり、野菜室7の引出し式扉７Ａを前方（Ｘ１方向）にスライドして開いた状態を示している。
【００１１】
図１ないし図４に示す冷蔵庫１は、本体２を有している。本体２は、食品等の貯蔵物を貯蔵するために、複数の貯蔵室を有している。この本体２の最上部の位置には、両開き式の左右の扉３，４で開閉される貯蔵室としての冷蔵室５を設けられている。図１と図２に示すこれらの扉３，４は、それぞれ本体２のヒンジ２Ｃを中心にして開閉可能に取り付けられている。扉３，４は、扉駆動装置２Ａ，２Ｂの駆動により、自動的に開くことができる。
【００１２】
図１に示すように、冷蔵室５の下側には、引出し式扉７Ａで開閉される貯蔵室としての野菜室７が設けられている。この野菜室７の下側には、貯蔵室としての製氷室８と上部冷凍室（小冷凍室）９が横方向に並んで設けられている。製氷室８は引出し式扉８Ａで開閉され、上部冷凍室９は引出し式扉９Ａで開閉される。
【００１３】
図１に示すように、本体２の最下部であって、これらの製氷室８と上部冷凍室９の下側には、貯蔵室としての下部冷凍室（大冷凍室）１０が設けられている。下部冷凍室１０は引出し式扉１０Ａで開閉される。
【００１４】
図１に示すように、扉３，４の下部には、それぞれ指を掛けるための凹状の取っ手３Ｂ，４Ｂが設けられている。引出し式扉７Ａ、８Ａ、９Ａ、１０Ａの上部には、それぞれ指を掛けるための凹状の取っ手７Ｂ、８Ｂ、９Ｂ、１０Ｂが設けられている。
【００１５】
＜貯蔵室の例としての野菜室７と引出し式扉７Ａ＞
図４に示すように、引出し式扉７Ａは、左右の側面部材１３を有している。左右の側面部材１３は、図４と図３に示すように、それぞれスライド部材１２を有している。図３に示すように、ガイドレール１１は、本体２の左右の内面部７Ｃにおいて、水平に取り付けられている。引出し式扉７Ａの各スライド部材１２は、本体２側の左右のガイドレール１１に沿って、Ｘ１方向とＸ２方向にガイドされるようになっている。
【００１６】
これにより、図３に示すように、引出し式扉７Ａは、本体２側の左右のガイドレール１１に沿って、引出し式扉７Ａを本体２の野菜室７内からＸ１方向にスライドして引き出すことができる。また、図２に示すように、引出し式扉７Ａは、本体２側のガイドレール１１に沿って、本体２の野菜室７内へＸ２方向に沿って収めることができる。
【００１７】
図４に示すように、引出し式扉７Ａは、上述したように、左右の側面部材１３，１３を有しており、引出し式扉７Ａと左右の側面部材１３，１３は、保持枠体１４を構成している。保持枠体１４は、次に説明する野菜容器２０と米収納容器３０の組み合わせ体を、着脱自在に保持することができる。
【００１８】
図２と図３に示す野菜容器２０と米収納容器３０は、例えば透明もしくは半透明あるいは不透明なプラスチック製の容器である。この野菜容器２０は、保持枠体１４に着脱可能に保持されている。米収納容器３０は、野菜容器２０の上部からはめ込むようにして収容されており、米収納容器３０は、野菜容器２０に対して着脱可能に保持されている。
【００１９】
図５は、野菜室7の引出し式扉７Ａを前方（Ｘ１方向）にスライドして開いた状態を示しているが、例えば米を炊くための炊飯器の釜のような移し替え容器Ｍを、野菜容器２０の上部に載せている。これに対して、図４は、野菜室7の引出し式扉７Ａを前方（Ｘ１方向）にスライドして開いた状態を示しているが、移し替え容器Ｍを、野菜容器２０の上部に載せていない状態を示している。
【００２０】
＜米収納容器３０と野菜容器２０の構造例＞
図６は、図５に示す米収納容器３０と野菜容器２０を示す斜視図であり、米収納容器３０のスライド蓋３１が閉じている状態を示している。これに対して、図７は、図５に示す米収納容器３０と野菜容器２０を示す斜視図であるが、米収納容器３０のスライド蓋３１がＸ２方向にスライドすることで、部分開口部５０を開いている状態を示している。
【００２１】
図８は、図６に示す米収納容器３０と野菜容器２０のＡ−Ａ線における断面構造を示している。図９は、図６に示す米収納容器３０と野菜容器２０のＢ−Ｂ線における断面構造を示している。図１０は、図９に示すＲ部分を拡大して示す断面図である。
【００２２】
図４から図７を参照して、米収納容器３０と野菜容器２０の好ましい構造例を説明する。
【００２３】
まず、野菜容器２０について説明する。図６と図８に示すように、野菜容器２０は、米収納容器３０に比べて大型であり、野菜容器２０は、米収納容器３０を収容できるように、より大きな収納容量を有している。
【００２４】
図６と図７に示すように、野菜容器２０は、野菜等やボトルＢＴ等を収納する容器であり、前面部２１と、底面部２２と、左右の側面部２３，２４と、背面部２５を有している。野菜容器２０の上部は、米収納容器３０を収容するための大きな例えば長方形状の開口部２６である。
【００２５】
図８と図９に示すように、野菜容器２０の内部収納空間は、野菜等を収納する野菜収納部分２７と、ボトルＢＴを収納するためのボトル収納部分２８を有している。野菜収納部分２７とボトル収納部分２８は、突出部分２９により区分けされている。
【００２６】
図9に示すように、野菜容器２０の野菜収納部分２７は、内底面部７０を有している。内底面部７０は、水平面部７１と、傾斜面部７２を有している。水平面部７１は、前側の位置のボトル収納部分２８寄りの位置に形成されている。
【００２７】
この傾斜面部７２は、水平面部７１から背面部２５に至るまで傾斜して形成されており、傾斜面部７２は、水平面部７１から背面部２５に至るに従って、上がるように傾斜している。言い換えれば、傾斜面部７２は、背面部２５である奥側から水平面部７１である手前側に至るＸ１方向に従って、下がるように傾斜している。
【００２８】
これにより、野菜容器２０の野菜収納部分２７内に収納されている野菜の量が残り少なくなった場合に、残った野菜は、引出し扉７Ａの引き出し操作や収納操作を行ったり、コンプレッサの振動等により、野菜容器２０の野菜収納部分２７内において傾斜面部７２の奥側から手前側の水平面部７１へ滑って移動する。このため、残った野菜は、手前側の水平面部７１側に集めることができるので、米収納容器３０を取り除いた状態で野菜の取出しを行う際に、野菜容器２０の使い勝手が良い。
【００２９】
図９に示すように、ボトル収納部分２８には、図６に示すように、例えば複数本のボトルＢＴを立てた状態で並べて収納することができる。例えば、米収納容器３０を取り除くか、あるいは後で説明する移し替え容器保持部４１だけを取り外すことができる構造を採用することで、ボトルＢＴは、ボトル収納部分２８内から容易に取り出すことができる。
【００３０】
次に、米収納容器３０を説明する。図８と図９に示すように、米収納容器３０は、野菜容器２０に比べて、収納容量が小さい。このため、米収納容器３０の大部分は、野菜容器２０の開口部２８にはめ込むようにして配置されている。
【００３１】
米収納容器３０は、図６と図９に示すように、前面部３２と、左右の側面部３３，３４と、背面部３５と、底面部３６と、上部開口部３７を有する。米収納容器３０は、蓋４０と、スライド蓋３１と、移し替え容器Ｍを置くための移し替え容器保持部４１を有する。
【００３２】
図６に示すように、スライド蓋３１は、冷蔵庫１の前に立った使用者から見て右側に配置され、移し替え容器保持部４１は左側に配置されている。蓋４０とスライド蓋３１は、上部開口部３７を密閉している。
【００３３】
この蓋４０は、長方形状であって、好ましくは透明あるいは半透明のプラスチック板であり、スライド蓋３１と移し替え容器保持部４１の領域を除いた上部開口部３７の部分を密閉した状態で覆っている。この蓋４０は、米収納容器３０に対して着脱可能に取り付けられている。スライド蓋３１は、蓋４０に対してＸ１方向とＸ２方向にスライド可能に取り付けられている。
【００３４】
図６に示すように、スライド蓋３１は、取っ手３１Ｔを有している。使用者はこの取っ手３１Ｔを持ってスライド蓋３１をＸ２方向にスライドさせることで、図７に示すように上部開口部３７の部分開口部５０を開けることができる。これにより、部分開口部５０から米収納容器３０内の米を出したり、部分開口部５０から米収納容器３０内に米を補充することが簡単にできる。
【００３５】
また、図７に示すように、使用者はこの取っ手３１Ｔを持ってスライド蓋３１をＸ１方向にスライドさせることで、密閉状態で部分開口部５０を閉じることができる。
【００３６】
図９と図１０に示すように、スライド蓋３１の先端部３１Ｈには、ゴムやプラスチックのパッキンのような弾性変形可能な密閉部材５５が設けられている。使用者はこの取っ手３１Ｔを持ってスライド蓋３１をＸ１方向にスライドさせることで、図１０に示すように、スライド蓋３１の先端部３１Ｈは、この密閉部材５５を用いて、前面部３２の上端３２Ｔに対して密閉状態で押し付ける、このため、部分開口部５０は密閉状態で閉じることができる。これにより、湿気が、部分開口部５０を通じて米収納容器３０内に侵入するのを防ぐことができる。
【００３７】
図４に示すように、移し替え容器保持部４１は、移し替え容器位置決め部分６０を有する。この移し替え容器位置決め部分６０は、図５と図６に示すように、例えば円形状の貫通孔であり、例えば炊飯器の釜のような移し替え容器Ｍの底部分を着脱可能にはめ込む。これにより、移し替え容器Ｍは、移し替え容器保持部４１において位置ずれしないように位置決めをすることができ、安定して保持できる。
【００３８】
図６に示すように、米収納容器３０の前面部３２は、ボトル収納部分２８を除いた部分に形成されており、ボトルＢＴの収納に支障が出ないようになっている。図９に示すように、米収納容器３０の前面部３２の高さ寸法Ｌ１は、米収納容器３０の背面部３５の高さ寸法Ｌ２よりも大きく設定されている。
【００３９】
図９に示すように、底面部３６は、水平面部３８と、傾斜面部３９を有している。水平面部３８は、前面部３２側に形成されている。水平面部３８は、閉じたスライド扉３１の位置、すなわち部分開口部５０の位置に対応した底面部３６の領域に形成されている。
【００４０】
図９に示す傾斜面部３９は、水平面部３８から背面部３５に至るまで傾斜して形成されており、傾斜面部３９は、水平面部３８から背面部３５に至るに従って、三次元的に上がるように傾斜している。言い換えれば、傾斜面部３９は、背面部３５である奥側から水平面部３８である手前側に至るに従って、図６の矢印Ｆで示すように三次元的に下がるように傾斜している。
【００４１】
これにより、袋から米を出して米収納容器３０内に米を収納して、収納した米を使って、米の量が残り少なくなった場合には、残った米は、引出し扉７Ａの引き出し操作や収納操作を行ったり、冷蔵庫１のコンプレッサの振動等により、米収納容器３０内において傾斜面部３９の奥側から、図６に示す矢印Ｆ方向に沿って三次元的に水平面部３８へ滑って移動する。このため、米収納容器３０内に残った米は、前側であって閉じたスライド扉３１の下部の領域である水平面部３８に集めることができる。
【００４２】
従って、米収納容器３０内に収納された米の量が少なくなっても、米収納容器３０内の奥側から手前側に集めることができ。このため、使用者は、図７に示すように、スライド扉３１をＸ２方向にスライドすれば、部分開口部５０から米を容易に取り出すことができ、米収納容器３０を米びつとして用いる際の使い勝手が向上する。
【００４３】
＜冷蔵庫1の野菜室７の使用例＞
次に、上述した冷蔵庫1の野菜室７の使用例を説明する。
【００４４】
まず、使用者は、図２から図３に示すように、野菜室７の引出し扉７ＡをＸ１方向に引き出して、図４から図５に示すように、米収納容器３０のスライド蓋３１をＸ２方向にスライドすることで、米収納容器３０の部分開口部５０を開ける。そして、使用者は、部分開口部５０から、米を米収納容器３０内に入れて米を米収納容器３０内に収納する。
【００４５】
使用者が、図７から図６に示すように、スライド蓋３１をＸ１方向にスライドすることで、部分開口部５０を閉じる。
【００４６】
これにより、米収納容器３０内の米は、部分開口部５０を通じて取出したり、米収納容器３０内に米を、部分開口部５０を通じて収納することが容易にできる。
【００４７】
米収納容器３０内は、蓋４０とこの蓋４０のスライド蓋３１により密閉状態になり、米収納容器３０内の米が湿気により影響を受けない。
【００４８】
そして、使用者は、図３から図２に示すように、引出し扉７ＡをＸ２方向に押すことで野菜室７に収めることで、米収納容器３０内に収納された米は、米収納容器３０内で密閉された状態で、野菜室７内の温度、例えば１０℃で冷蔵保存される。
【００４９】
次に、米収納容器３０内に冷蔵保存された米を、釜のような移し替え容器Ｍに移して使用する場合には、使用者は、図２から図３に示すように、野菜室７の引出し扉７ＡをＸ１方向に引き出して、図４から図５に示すように、移し替え容器Ｍの底部を、移し替え容器保持部４１の移し替え容器位置決め部分６０内に入れる。これにより、移し替え容器Ｍは、移し替え容器保持部４１において、ずれないように位置決めすることができる。
【００５０】
使用者は、図６から図７に示すように、スライド蓋３１をＸ２方向にスライドすることで、部分開口部５０を開ける。そして、使用者は、部分開口部５０へ図示しないカップ容器等を入れて、このカップ容器により米収納容器３０内の米をすくって、移し替え容器Ｍ内に入れる。
【００５１】
この米の移し替えの際に、移し替え容器Ｍは、移し替え容器位置決め部分６０においてしっかりとずれないように保持できるので、使用者が移し替え容器Ｍを手で支えなくても、米収納容器３０内の米を移し替え容器Ｍ内に簡単に移すことができ、米の移し替えの際の使い勝手が向上する。
【００５２】
移し替え容器Ｍに所望の量の米が入ったら、使用者は、スライド蓋３１をＸ１方向にスライドすることで、部分開口部５０を密閉して、移し替え容器Ｍを移し替え容器位置決め部分６０から外す。スライド蓋３１が部分開口部５０を閉じると、図１０に示すように、スライド蓋３１の密閉部材５５が、米収納容器３０内を密閉状態にするので、米収納容器３０内には湿気が入らない。
【００５３】
そして、使用者は、図３から図２に示すように、引出し扉７ＡをＸ２方向に押して野菜室７内に収めることで、米収納容器３０内に収納されている米は、米収納容器３０内で密閉された状態で、野菜室７内の温度で、再び冷蔵保存される。
【００５４】
ところで、米収納容器３０内の米を使って、米収納容器３０内の米の量が残り少なくなった場合には、米収納容器３０内に残っている米は、引出し扉７Ａの引き出し操作や収納操作を行ったり、コンプレッサの振動等により、米収納容器３０内において傾斜面部３９の奥側から、図６において矢印Ｆで示すように三次元的に部分開口部６０の位置に対応している水平面部３８へ滑って移動することで、水平面部３８に集めることができる。
【００５５】
このように、米収納容器３０内に収納された米の量が少なくなっても、残った米は水平面部３８へ集めることができるため、使用者は、米を米収納容器３０の部分開口部６０を通じて、容易に取り出すことができる。従って、野菜室７に配置された米収納容器３０を米びつとして用いる際の使い勝手が向上する。
【００５６】
なお、この米収納容器３０内には、例えば米以外に、比較的小さい野菜等を収納しても良い。米収納容器３０内の野菜等を使って、米収納容器３０内の野菜等の数が残り少なくなった場合には、米収納容器３０内に残っている野菜等は、引出し扉７Ａの引き出し操作や収納操作を行ったり、コンプレッサの振動等により、米収納容器３０内において傾斜面部３９の奥側から、図６において矢印Ｆで示すように三次元的に部分開口部６０の位置に対応している水平面部３８へ集めることができる。このため、米収納容器３０を野菜収納庫として用いる際にも、使い勝手が向上する。
【００５７】
図6と図7に示すように、複数本のペットボトル等のボトルＢＴは、移し替え容器保持部４１の下部の空間領域を利用したボトル収納部分２８内に、立てた状態で並べて収納することができる。このため、ボトルの収納能力を確保でき、ボトルＢＴを収納する際の使い勝手が向上する。
【００５８】
また、図9に示す野菜容器２０の野菜収納部分２７は、米収納容器３０と同様に、例えば野菜以外に米を入れてもよく、米びつとして用いても良い。
【００５９】
なお、米収納容器３０の内部と、野菜容器２０の内部は、野菜室７において、ほぼ同じ温度に保たれ、結露は生じない。
【００６０】
＜他の実施形態＞
次に、本発明の第２実施形態から第４実施形態を説明する。
【００６１】
（第２実施形態）
図１１は、本発明の第２実施形態を示している。図１１に示すように、移し替え容器保持部４１は、移し替え容器位置決め部分６０Ａを有している。この移し替え容器位置決め部分６０Ａは、貫通孔ではなく、移し替え容器保持部４１の表面を粗面にすることで、移し替え容器Ｍを載せても滑らないように保持することができる。
【００６２】
（第３実施形態）
図１２は、本発明の第３実施形態を示している。図１２に示すように、移し替え容器保持部４１は、移し替え容器位置決め部分６０Ｂを有している。この移し替え容器位置決め部分６０Ｂは、貫通孔ではなく、移し替え容器保持部４１の表面に凹部を設けることで、移し替え容器Ｍを載せても滑らないように保持することができるようになっている。
【００６３】
（第４実施形態）
図１３は本発明の第４実施形態を示している。図１３に示すように、移し替え容器保持部４１は、移し替え容器位置決め部分６０Ｃを有している。この移し替え容器位置決め部分６０Ｃは、貫通孔ではなく、移し替え容器保持部４１の表面にいくつかの大きさの異なる凹状の円形部分６１，６２，６３，６４を形成している。異なる凹状の円形部分６１，６２，６３，６４は寄せて形成されている。これにより、大きさの異なる複数種類の移し替え容器Ｍを、凹状の円形部分６１，６２，６３，６４のいずれかに合わせて載せることで、移し替え容器Ｍを載せても滑らないように保持することができるようになっている。
【００６４】
（第５実施形態）
図１４は本発明の第５実施形態を示している。図１４に示すように、移し替え容器保持部４１は、移し替え容器位置決め部分６０Ｄを有している。この移し替え容器位置決め部分６０Ｄは、貫通孔ではなく、移し替え容器保持部４１の表面にいくつかの大きさの異なる凹状の円形部分６１，６２，６３，６４を形成している。異なる凹状の円形部分６１，６２，６３，６４は同心円状に配置されている。これにより、大きさの異なる複数種類の移し替え容器Ｍを、凹状の円形部分６１，６２，６３，６４のいずれかに合わせて載せることで、移し替え容器Ｍを載せても滑らないように保持することができる。
【００６５】
なお、この第４実施形態の移し替え容器位置決め部分６０Ｃと第5実施形態の移し替え容器位置決め部分６０Ｄは、第1実施形態の移し替え容器位置決め部分６０や第２実施形態の移し替え容器位置決め部分６０Ａのいずれかと組み合わせることができる。
【００６６】
また、第１から第５実施形態の移し替え容器位置決め部分は、例えば円形に形成されているが、移し替え容器Ｍの形に合わせて、例えば正方形等の任意の形状を採用できる。
【００６７】
以上説明したように、本発明の実施形態の冷蔵庫1は、貯蔵室としての例えば野菜室７内に配置された貯蔵容器としての例えば野菜容器２０を引き出し可能な引出し式扉７Ａを有する本体２と、貯蔵容器としての例えば野菜容器２０に配置されて米を収納する米収納容器３０と、米収納容器３０を密閉する蓋４０（スライド蓋３１）を備える。米収納容器３０は、米収納容器３０内の米を出して移すための移し替え容器Ｍを保持するための移し替え容器保持部４１を有する。
【００６８】
これにより、使用者は、移し替え容器Ｍを移し替え容器保持部４１に保持するだけで、使用者が貯蔵した米を移し替え容器Ｍに移し替える作業が容易にでき、使い勝手の良い。
【００６９】
米収納容器３０は、米を米収納容器３０に入れたり収納した米を米収納容器３０から出すために、蓋４０により密閉されていない部分開口部５０を有し、蓋４０は、米収納容器３０の部分開口部５０を開閉可能な開閉蓋部としてのスライド蓋３１を有する。
【００７０】
これにより、スライド蓋３１を開閉するだけで、米収納容器３０内の米は、部分開口部５０を通じて取出したり、米収納容器３０内に米を、部分開口部５０を通じて収納することが容易にできる。
【００７１】
米収納容器３０の底部は、引出し式扉７Ａを引き出す方向（Ｘ１方向）に関して、米収納容器３０の奥側から手前側に向けて下がるように傾斜して形成されている。
【００７２】
これにより、米収納容器３０内に収納された米の量が少なくなっても、米収納容器３０内の奥側から、手前側の部分開口部５０の位置へ集めることができる。このため、使用者は、米を米収納容器３０の部分開口部６０を通じて、容易に取り出すことができる。従って、野菜室７に配置された米収納容器３０を米びつとして用いる際の使い勝手が向上する。
【００７３】
米収納容器３０の底部は、引出し式扉７Ａを引き出す方向（Ｘ１方向）に関して、米収納容器３０の奥側から手前側にある部分開口部５０に対応する領域に向けて、三次元的に下がるように傾斜して形成されている。
【００７４】
これにより、米収納容器３０内に収納された米の量が少なくなっても、米収納容器３０内の奥側から、図６において矢印Ｆで示すように、三次元的に手前側へ集めることができる。このため、使用者は、米を米収納容器３０の部分開口部６０を通じて、容易に取り出すことができる。従って、野菜室７に配置された米収納容器３０を米びつとして用いる際の使い勝手が向上する。
【００７５】
貯蔵容器としての例えば野菜室７は、米収納容器３０の移し替え容器保持部４１の下部の位置に、ボトルＢＴを収納するボトル収納部分２８を有する。
【００７６】
これにより、野菜室７は、ボトルＢＴの収納能力を確保でき、ボトルＢＴを収納する際の使い勝手が向上する。
【００７７】
開閉蓋部としてのスライド蓋３１により部分開口部５０を閉じた際に、スライド蓋３１と米収納容器３０との間を密閉する密閉部材５５を有する。これにより、スライド蓋３１の密閉部材５５が、米収納容器３０内を密閉状態にするので、米収納容器３０内には湿気が入らない。
【００７８】
ところで、米収納容器３０内にお米を収納する場合の保存温度は、常温保存であると、お米が酸化し易く、梅雨時等の高温多湿の環境下であると、お米の酸化が急速に進み、害虫の発生やカビの発生等のおそれがある。
【００７９】
そこで、米収納容器３０内にお米を収納する場合の保存温度は、最適温度として１２℃から１４℃である。保存温度は、１２℃未満であっても、お米の品質には悪影響はないが、冷蔵庫１の消費電力を削減するために、最適温度としては１２℃から１４℃が望ましい。お米だけではなく、他の食品等の貯蔵物をも一緒に入れて冷却することがあるので、保存温度としては、必要に応じて、最適温度の１２℃未満にしても特に問題はない。
【００８０】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８１】
図１と図２に示す冷蔵庫１の構造は、一例であり、任意の構造を採用することができる。
【００８２】
図示した本発明の実施形態では、図６と図７に示すスライド蓋３１は、米収納容器３０の部分開口部５０を開閉可能な開閉蓋部の一例である。しかし、スライド蓋３１のようにスライドさせることで、部分開口部５０を開閉するだけではなく、開閉蓋部は、ヒンジを用いて蓋４０に回転可能に取り付けて、この開閉蓋部を持ち上げて例えば１８０度回転させることで、米収納容器３０の部分開口部５０を開閉できるようにしても良い。
【００８３】
貯蔵室としては、野菜室７を例に挙げており、貯蔵容器としては、野菜容器２０を例に挙げているが、他の種類の貯蔵室や貯蔵容器であっても良い。
【符号の説明】
【００８４】
１      冷蔵庫
２      本体
３      扉
４      扉
７      野菜室（貯蔵室の例）
7Ａ    引出し式扉
２０    野菜容器（貯蔵容器の例）
３０    米収納容器
３１    スライド蓋（開閉蓋部の一例、蓋の一部分）
４０    蓋
４１    移し替え容器保持部
５０    部分開口部
５５    密閉部材
６０    移し替え容器位置決め部分
Ｍ      移し替え容器
【図１】
2019100590.tif 000003
【図２】
2019100590.tif 000004
【図３】
2019100590.tif 000005
【図４】
2019100590.tif 000006
【図５】
2019100590.tif 000007
【図６】
2019100590.tif 000008
【図７】
2019100590.tif 000009
【図８】
2019100590.tif 000010
【図９】
2019100590.tif 000011
【図１０】
2019100590.tif 000012
【図１１】
2019100590.tif 000013
【図１２】
2019100590.tif 000014
【図１３】
2019100590.tif 000015
【図１４】
2019100590.tif 000016